(57)【要約】      （修正有）【課題】剛性面および強度面に優れるとともにワイヤハーネスを構造物から取り外す作業を簡単にすることで分別回収のための解体作業性を良好にし、環境性能に優れるワイヤハーネスプロテクタを提供する。【解決手段】ワイヤハーネスプロテクタは、ワイヤハーネス収容部を備えた中空筒状のプロテクタ本体と、係合レールが形成されたかんぬき部材と、レール溝が形成された取付部材とを備え、構造物に取り付けられたレール溝に、プロテクタ本体のかんぬき部材の係合レールがスライド係合して構造物に取り付けられる。更に、観音開き状に開閉可能である一対の扉体と、扉体の閉状態を維持する扉体保持部と、プロテクタ本体に対するかんぬき部材の位置を固定するロック機構とを備える。かんぬき部材の一端部を引き上げると、かんぬき部材がプロテクタ本体から離脱可能となり、係合レールをレール溝から離脱させることにより、プロテクタ本体が構造物から離脱される。【選択図】図５
2009225626.tif 000002
【特許請求の範囲】
【請求項１】
ワイヤハーネスをその延長方向に沿って収容するためのワイヤハーネス収容部として中空部を備えた中空筒状のプロテクタ本体と、
係合レールが形成されたかんぬき部材と、
レール溝が形成された取付部材と、
を備え、
構造物に取り付けられた前記取付部材のレール溝に、前記プロテクタ本体に取り付けられた前記かんぬき部材の係合レールがスライド係合し、これにより前記構造物に取り付けられるワイヤハーネスプロテクタであって、
前記プロテクタ本体に形成され、該プロテクタ本体の前記延長方向に延長する割れ目部の所から観音開き状に開閉可能である一対の扉体と、
前記かんぬき部材に形成され、前記一対の扉体の前記割れ目側の自由端部それぞれを自身の両側部で保持して前記扉体の閉状態を維持する扉体保持部と、
前記扉体及び前記かんぬき部材の双方の前記延長方向の一端部に互いに係合するように設けられ、前記かんぬき部材の扉体保持部による前記扉体の保持時に前記プロテクタ本体に対する前記かんぬき部材の前記延長方向の位置を固定するロック機構と、
を備え、
前記ワイヤハーネスが前記プロテクタ本体のワイヤハーネス収容部に収容され、前記扉体保持部が前記扉体の閉状態を維持するように前記かんぬき部材が前記プロテクタ本体に取り付けられ、そして前記割れ目部と略平行に延長する前記かんぬき部材の係合レールが前記取付部材のレール溝に挿入され支持されることで前記ワイヤハーネスが前記構造物上に配索され、この状態で、前記かんぬき部材の前記一端部を前記構造物と反対側に引き上げることで、前記ロック機構の係合が解除されて前記かんぬき部材が前記プロテクタ本体から離脱可能となり、前記かんぬき部材を前記レール溝に沿って移動させて前記係合レールを前記レール溝から離脱させるとともに前記かんぬき部材を前記プロテクタ本体から離脱することにより、前記プロテクタ本体が前記構造物から離脱されることを特徴とするワイヤハーネスプロテクタ。
【請求項２】
前記ロック機構が、
前記扉体に形成された係止穴と、
前記かんぬき部材が前記プロテクタ本体に装着された際に当該係止穴に係止される前記かんぬき部材の係止突起と、
前記かんぬき部材の一端部に形成された、前記かんぬき部材を構造物と反対側に引き上げて当該プロテクタ本体から引き出すためのレバーと、
を備えていることを特徴とする請求項１記載のワイヤハーネスプロテクタ。
【請求項３】
前記プロテクタ本体の前記構造物と反対側の部分には、ワイヤハーネス位置決め孔が設けられており、前記ワイヤハーネスには、当該ワイヤハーネス位置決め孔に挿入される突起を有する結束バンドが結束されていることを特徴とする請求項１または２記載のワイヤハーネスプロテクタ。
【請求項４】
前記かんぬき部材と前記プロテクタ本体とが、異なる色を有しており、前記かんぬき部材が、解体に際して専用の治具が不要であることを示す色を有していることを特徴とする請求項１〜３のいずれか１項記載のワイヤハーネスプロテクタ。
【発明の詳細な説明】
【技術分野】
【０００１】
本発明は、ワイヤハーネスを収容して構造物上にワイヤハーネスを配索するワイヤハーネスプロテクタに関し、特に、環境対応策として、構造物上のワイヤハーネスの分別回収のための解体作業を容易にするための改良に関する。
【背景技術】
【０００２】
近年、廃棄物中の資源のリサイクル化等により環境への負荷を軽減する環境対応策の一つとして、使用済み製品の廃棄時に各種の部品の分別回収のための解体作業を容易にする工夫等が要求されている。
【０００３】
このような分別回収を容易にするワイヤハーネスプロテクタの一例として、図１１に示すように、底板１０１と、両側板１０２とを断面視コ字に形成し、両側板１０２の間に仕切板１０３を設けたプロテクタ本体１０４をもち、このプロテクタ本体１０４の内部にワイヤハーネスＷを収容したワイヤハーネスプロテクタ１００がある（例えば、特許文献１参照）。
【０００４】
上記特許文献１に開示されたワイヤハーネスプロテクタ１００では、プロテクタ本体１０４の両側板１０２に複数の係合部１０５がそれぞれ設けられており、これら係合部１０５に、カバー１０６に設けた複数の係止突起１０７をそれぞれ係止されることで、ワイヤハーネスＷを収容したプロテクタ本体１０４の開口部をカバー１０６で覆う。
【０００５】
そして、ワイヤハーネスプロテクタ１００では、プロテクタ本体１０４の両側板１０２にそれぞれ設けられている複数のブラケット１０８を介して車両のボディパネル等の構造物にボルト止めすることで、ワイヤハーネスＷを構造物上に配索するようにしている。
【０００６】
また、このような分別回収を容易にするワイヤハーネスプロテクタの他の一例として、図１２、図１３に示すように、ウェルドライン２０１を破断させながらワイヤハーネスＷを引き出すようにしたワイヤハーネスプロテクタ２００がある（例えば、特許文献２参照）。
【０００７】
上記特許文献２に開示されたワイヤハーネスプロテクタ２００では、ワイヤハーネスＷを収容する本体２０２の一端から他端までの構造物取付側にウェルドライン２０１が設けられており、本体２０２に装着されたクリップ２０３が構造物Ｂに嵌め込まれることで、ワイヤハーネスＷが構造物Ｂ上に配索される。
【０００８】
分別回収のための解体時に、ワイヤハーネスＷを構造物Ｂから剥すに際し、ワイヤハーネスＷに専用の治具を引っ掛けてワイヤハーネスＷを図１２中の左方向に向けて引っ張ることで、ワイヤハーネスＷとともにワイヤハーネスプロテクタ２００が構造物Ｂから分離される。
【０００９】
そして、本体２０２からクリップ２０３を抜き出して、ワイヤハーネスプロテクタ２００をひっくり返しにしてウェルドライン２０１を上面に向けてから、ワイヤハーネスプロテクタ２００を一方の手で押さえ、他方の手でウェルドライン２０１を押すようにワイヤハーネスＷを引っ張り上げる。
【００１０】
すると、ウェルドライン２０１の一端に荷重がかかり、ワイヤハーネスＷの引き上げに伴ってウェルドライン２０１が一端から他端に向けて連続的に破断されていくことで、ワイヤハーネスＷがワイヤハーネスプロテクタ２００から分離される。
【００１１】
ワイヤハーネスＷがワイヤハーネスプロテクタ２００から分離されることで、銅線等を含むワイヤハーネスＷと、樹脂材料からなるワイヤハーネスプロテクタ２００と、が分別される。
【００１２】
【特許文献１】特開２００５−２９５７２８号公報
【特許文献２】特開２００７−２２１８７０号公報
【発明の開示】
【発明が解決しようとする課題】
【００１３】
ところが、上記特許文献１に開示されたワイヤハーネスプロテクタ２００では、分別のための解体時に、ボルト止めされているプロテクタ本体１０４のブラケット１０８を構造物から外すのに、ボルトを緩めて取り外さなければない。そのため、複数のブラケット１０８にそれぞれ挿通されている複数のボルトをそれぞれ緩めて取り外す作業が面倒であって大きな労力を伴うとともに、取り外された複数のボルトを、金属製部品として集めなければならないので、作業性が良好とは言えない。
【００１４】
また、上記特許文献１に開示されたワイヤハーネスプロテクタ２００では、同じく分別のための解体時に、カバー１０６の複数の係止突起１０７をプロテクタ本体１０４の複数の係合部１０５から外さなければならず、この作業に専用の治具が必要であるために、作業性が良好とは言えない。
【００１５】
一方、上記特許文献２に開示されたワイヤハーネスプロテクタ２００では、ワイヤハーネスＷを収容している本体２０２が、例えば、踏みつけられた際に、本体２０２を通じてワイヤハーネスＷが損傷を受けるおそれがある。
【００１６】
また、上記特許文献２に開示されたワイヤハーネスプロテクタ２００では、分別のための解体時に、本体２０２に挿通されているクリップ２０３を本体２０２から分離させるに際し、専用の治具によりクリップ２０３を本体２０２から抜き出すか、或いは、カッター等でクリップ２０３を切断する等しなければならない。その場合、ワイヤハーネスＷが長尺であると、クリップ２０３を本体２０２から抜き出す作業が面倒であり、カッター等で切断する作業とともに、解体作業を簡単に行えないおそれがある。
【００１７】
また、上記特許文献２に開示されたワイヤハーネスプロテクタ２００では、同じく分別のための解体時に、構造物Ｂ側に配置されているウェルドライン２０１がワイヤハーネスＷの引き上げ方向に向くように、ワイヤハーネスプロテクタ２００をひっくり返さなければならないので、その作業をし難い。
【００１８】
また、上記特許文献２に開示されたワイヤハーネスプロテクタ２００では、同じく分別のための解体時に、ウェルドライン２０１を目印にしてワイヤハーネスＷを引き上げるために、作業者がウェルドライン２０１を探さなければならない。そのため、作業者に熟練を要することになって、経験の浅い作業者では、作業が容易でない。
【００１９】
また、上記特許文献２に開示されたワイヤハーネスプロテクタ２００では、ワイヤハーネスＷの位置決めをするために、ワイヤハーネスプロテクタ２００の端部をワイヤハーネスＷにテープ巻きしている場合、分別のための解体時に、カッター等で、そのテープ巻きを破断しなければならない。そのため、作業性が良好とは言えない。
【００２０】
さらに、上記特許文献２に開示されたワイヤハーネスプロテクタ２００では、同じく分別のための解体時に、ウェルドライン２０１を介してワイヤハーネスＷを引き上げたワイヤハーネスプロテクタ２００が、構造物側に残ってしまい、樹脂製のワイヤハーネスプロテクタ２００を金属製の構造物から分別し難い。
【００２１】
本発明の目的は、上記課題を解消することに係り、剛性面および強度面に優れるとともにワイヤハーネスを構造物から取り外す作業を簡単にすることで分別回収のための解体作業性を良好にし、且つ効率化することができる環境性能に優れるワイヤハーネスプロテクタを提供することにある。
【課題を解決するための手段】
【００２２】
本発明の上記目的は、下記構成により達成される。
（１）  ワイヤハーネスをその延長方向に沿って収容するためのワイヤハーネス収容部として中空部を備えた中空筒状のプロテクタ本体と、
係合レールが形成されたかんぬき部材と、
レール溝が形成された取付部材と、
を備え、
構造物に取り付けられた前記取付部材のレール溝に、前記プロテクタ本体に取り付けられた前記かんぬき部材の係合レールがスライド係合し、これにより前記構造物に取り付けられるワイヤハーネスプロテクタであって、
前記プロテクタ本体に形成され、該プロテクタ本体の前記延長方向に延長する割れ目部の所から観音開き状に開閉可能である一対の扉体と、
前記かんぬき部材に形成され、前記一対の扉体の前記割れ目側の自由端部それぞれを自身の両側部で保持して前記扉体の閉状態を維持する扉体保持部と、
前記扉体及び前記かんぬき部材の双方の前記延長方向の一端部に互いに係合するように設けられ、前記かんぬき部材の扉体保持部による前記扉体の保持時に前記プロテクタ本体に対する前記かんぬき部材の前記延長方向の位置を固定するロック機構と、
を備え、
前記ワイヤハーネスが前記プロテクタ本体のワイヤハーネス収容部に収容され、前記扉体保持部が前記扉体の閉状態を維持するように前記かんぬき部材が前記プロテクタ本体に取り付けられ、そして前記割れ目部と略平行に延長する前記かんぬき部材の係合レールが前記取付部材のレール溝に挿入され支持されることで前記ワイヤハーネスが前記構造物上に配索され、この状態で、前記かんぬき部材の前記一端部を前記構造物と反対側に引き上げることで、前記ロック機構の係合が解除されて前記かんぬき部材が前記プロテクタ本体から離脱可能となり、前記かんぬき部材を前記レール溝に沿って移動させて前記係合レールを前記レール溝から離脱させるとともに前記かんぬき部材を前記プロテクタ本体から離脱することにより、前記プロテクタ本体が前記構造物から離脱されることを特徴とするワイヤハーネスプロテクタ。
【００２３】
（２）  前記ロック機構が、
前記扉体に形成された係止穴と、
前記かんぬき部材が前記プロテクタ本体に装着された際に当該係止穴に係止される前記かんぬき部材の係止突起と、
前記かんぬき部材の一端部に形成された、前記かんぬき部材を構造物と反対側に引き上げて当該プロテクタ本体から引き出すためのレバーと、
を備えていることを特徴とする前記（１）記載のワイヤハーネスプロテクタ。
【００２４】
（３）  前記プロテクタ本体の前記構造物と反対側の部分には、ワイヤハーネス位置決め孔が設けられており、前記ワイヤハーネスには、当該ワイヤハーネス位置決め孔に挿入される突起を有する結束バンドが結束されていることを特徴とする前記（１）または（２）記載のワイヤハーネスプロテクタ。
【００２５】
（４）  前記かんぬき部材と前記プロテクタ本体とが、異なる色を有しており、前記かんぬき部材が、解体に際して専用の治具が不要であることを示す色を有していることを特徴とする前記（１）〜（３）のいずれか１項記載のワイヤハーネスプロテクタ。
【００２６】
前記（１）の構成によれば、プロテクタ本体が筒形状であるので、踏みつけ等の外力に耐える剛性および強度を得ることができる。また、ロック機構によるロックを解除してかんぬき部材をプロテクタ本体から引き出してから、ワイヤハーネスを反構造物側に引き上げることで、プロテクタ本体がワイヤハーネスとともに引き上げられる。これにより、分別のための解体時に、ワイヤハーネスを引き上げるだけで、ワイヤハーネスを構造物から簡単に分離させることができ、作業性を良好にして効率化を図ることができる。
【００２７】
上記（２）の構成によれば、引き上げ用のレバーを構造物と反対側に引き上げてかんぬき部材をプロテクタ本体から引き出すだけで、プロテクタ本体に位置決めされているかんぬき部材において、プロテクタ本体の係止穴からかんぬき部材の係止突起を係止解除させて極めて簡単に離脱させることができる。
【００２８】
上記（３）の構成によれば、結束バンドの突起をプロテクタ本体のワイヤハーネス位置決め孔に挿入させておけば、配索時にワイヤハーネスの位置決めが図られ、ワイヤハーネスが構造物と反対側に引き上げられる際には、ワイヤハーネスとプロテクタ本体とをいっしょに引き上げることができる。
【００２９】
上記（４）の構成によれば、かんぬき部材がプロテクタ本体とは異なる色に着色されていることで、かんぬき部材が、専用の治具を用いずに解体作業を行えることを解体作業者に表示して、解体作業の効率を向上させることができる。
【発明の効果】
【００３０】
本発明に係るワイヤハーネスプロテクタでは、プロテクタ本体が筒形状をなすことで、踏みつけ等の外力に耐える剛性および強度を得ることができる。
【００３１】
そして、構造物上に配索されているワイヤハーネスを構造物から取り外す際に、ワイヤハーネスを引き上げるだけで、プロテクタ本体がワイヤハーネスといっしょに引き上げられて、ワイヤハーネスを構造物から取り外すことができる。
【００３２】
即ち、ワイヤハーネスを構造物から取り外す際に、ワイヤハーネスを引き出すための専用の治具や、クリップおよびテープ巻きを切断するためのカッター等を必要とせずに、極めて簡単にワイヤハーネスを構造物から取り外すことができる。
【００３３】
従って、剛性面および強度面を強化することができるとともに、ワイヤハーネスが配索されている構造物を廃棄する際における、ワイヤハーネスの分別回収のための解体作業を容易に且つ効率化することができ、廃棄物中の資源のリサイクル化等の環境対応に適したワイヤハーネスの分離・分別回収を容易にすることができる。
【発明を実施するための最良の形態】
【００３４】
以下、本発明に係るワイヤハーネスプロテクタの好適な実施形態について、図面を参照して詳細に説明する。
【００３５】
図１〜図１０は本発明に係るワイヤハーネスプロテクタの一実施形態を示すもので、図１は本発明に係るワイヤハーネスプロテクタの一実施形態に適用される扉体が閉じられているプロテクタ本体の前方斜め上方から視た外観斜視図、図２は図１に示した扉体が開いているプロテクタ本体の前方斜め上方から視た外観斜視図、図３は本発明に係るワイヤハーネスプロテクタの一実施形態に適用されるかんぬき部材の前方斜め上方から視た外観斜視図、図４は本発明に係るワイヤハーネスプロテクタの組立を説明する各部材の前方斜め上方から視た分解斜視図、図５は図４に示したワイヤハーネスプロテクタの組立後の前方斜め上方から視た外観斜視図である。
【００３６】
また、図６は図５に示したワイヤハーネスプロテクタにおけるロック機構のロック状態を説明するロック機構周りの縦断面図、図７は図５に示したワイヤハーネスプロテクタの構造物への組付け前の前方斜め上方から視た外観斜視図、図８は図６に示したワイヤハーネスプロテクタの構造物への組付け後の前方斜め上方から視た外観斜視図、図９は図８に示したワイヤハーネスプロテクタにおけるロック機構のアンロック状態を説明するロック機構周りの縦断面図、図１０は図８に示したワイヤハーネスプロテクタの構造物からの離脱動作を説明する前方斜め上方から視た外観斜視図である。
【００３７】
この一実施形態のワイヤハーネスプロテクタ１０は、ワイヤハーネスＷを収容するプロテクタ本体１１と、このプロテクタ本体１１に装着されるかんぬき部材１２と、ワイヤハーネスＷに取り付けられる結束バンド１３と、プロテクタ本体１１及びかんぬき部材１２を車両のボディパネル等の構造物Ｂに固定するための取付部材６０と、を備え、ワイヤハーネスＷを構造物Ｂに固定するものである。なお、取付部材６０は予め構造物Ｂに固定されたり、構造物と一体化されている。
【００３８】
図１に示すように、プロテクタ本体１１は、比較的硬い樹脂材等の高分子材料を用いて断面視箱形の角筒状に形成されて、例えば、灰色に着色されており、図１中の下方である構造物Ｂ側に一対の扉体１４，１５を観音開き状に開閉自在に有する。このプロテクタ本体１１は、内側にワイヤハーネス収容部１６を有する。
【００３９】
このプロテクタ本体１１は、天板１７と、一対の側板１８，１９を有し、両側板１８，１９の構造物Ｂ側の下端部に、一対の扉体１４，１５がヒンジ部２０，２１を介して接続されている。一対の扉体１４，１５の間には、かんぬき部材１２が装着されるように割れ目部２２が空けられている。
【００４０】
また、プロテクタ本体１１は、天板１７のほぼ中央部に、丸孔形状のワイヤハーネス位置決め孔２３を有する。
【００４１】
そして、プロテクタ本体１１は、一対の扉体１４，１５のうちの図１中の左方側に配置されている一方の扉体１４の先端部寄りに、ロック機構を構成する係止穴２４が形成されている。係止穴２４は、一方の扉体１４の先端部に向けて深くなるように傾斜している。
【００４２】
図２に示すように、プロテクタ本体１１は、一対の扉体１４，１５に拘束がないと、一対の扉体１４，１５が、それらの自重により構造物Ｂ側にそれぞれ開放されるようになっている。
【００４３】
図３に示すように、かんぬき部材１２は、プロテクタ本体１１と同様に、比較的硬い樹脂材等の高分子材料を用いて断面視略Ｈ字形に形成されて、例えば、黄色に着色されている。
【００４４】
かんぬき部材１２は、上下に配置されている一対の支持板２５，２６と、これら支持板２５，２６を中央部で連結している連結板２７と、下側の支持板２６から構造物Ｂ側に突出している係合レール２８と、ロック機構を構成する係止突起２９と、ロック機構を構成する引き上げ用のレバー３０と、を備える。そして、一対の支持板２５，２６と、連結板２７とで扉体保持部３５を構成している。
【００４５】
一対の支持板２５，２６は、予め定められた厚さ寸法を有して、プロテクタ本体１１の長さ寸法と同等の長さ寸法をそれぞれ有する。
【００４６】
また、一対の支持板２５，２６のうちの構造物Ｂ側に配置されている支持板２６の先端部には、構造物Ｂ側に当接される当接板３１が構造物Ｂ側にわずかに突出して形成されている。
【００４７】
連結板２７は、一対の支持板２５，２６の中央部において、一対の支持板２５，２６と同様にプロテクタ本体１１の長さ方向に連続している。
【００４８】
この連結板２７は、プロテクタ本体１１の一対の扉体１４，１５の厚さ寸法よりもわずかに大きい高さ寸法を有するために、一対の支持板２５，２６の間隔を、それぞれの扉体１４，１５が挿入できるように定めている。
【００４９】
係合レール２８は、下側の他方の支持板２６の中央部において、構造物Ｂ側に逆Ｔ字形状に突出しており、一対の支持板２５，２６と同様の長さ寸法を有する。
【００５０】
また、係合レール２８は、構造物Ｂ側の下面に、複数の凸部３２が長さ方向に等間隔で、構造物Ｂに向けて突出形成されている。
【００５１】
係止突起２９は、一対の支持板２５，２６のうちの構造物Ｂと反対側に配置されている一方の支持板２５の先端部寄りにおいて、支持板２５の先端部に行くに従って、構造物Ｂ側に突出するように傾斜して形成されている。
【００５２】
レバー３０は、一対の支持板２５，２６のうちの構造物Ｂと反対側に配置されている一方の支持板２５の、係止突起２９と同列となる端部から略Ｃ字形状をなして突出形成されている。
【００５３】
このレバー３０は、構造物Ｂと反対側に引き上げられることで、一方の支持板２５を弾性変形させて、係止突起２９を構造物Ｂと反対側に変位させる機能を有する。
【００５４】
図４に示すように、結束バンド１３は、ワイヤハーネスＷを束ねて取り付けられており、その上部に、丸い軸形状の突起３３を突出して有する。
【００５５】
突起３３は、プロテクタ本体１１の天板１７のワイヤハーネス位置決め孔２３に挿入されることで、プロテクタ本体１１に対してワイヤハーネスＷを位置決めする機能を有する。なお、突起３３は、丸い軸形状に代えて、半球形状や三角錐或いは四角錐等の突出形状を適用しても良い。
【００５６】
図４に示す組立にあたり、ワイヤハーネスＷの上方から、扉体１４，１５が開かれているプロテクタ本体１１が進行されていき、プロテクタ本体１１のワイヤハーネス収容部１６にワイヤハーネスＷが収まったところで、扉体１４，１５が閉じられる。
【００５７】
図５に示すように、閉じられている扉体１４，１５の割れ目部２２に、プロテクタ本体１１の一端部側からかんぬき部材１２の連結板２７を嵌め込みながら、かんぬき部材１２の支持板２５，２６を扉体１４，１５にそれぞれ外装させて、かんぬき部材１２をプロテクタ本体１１の後方に向けて進行させる。
【００５８】
図６に示すように、かんぬき部材１２のプロテクタ本体１１への進行に伴い、かんぬき部材１２の一方の支持板２５における係止突起２９が、一方の扉体１４の端部を乗り越えて移動し係止穴２４に係止される。これにより、かんぬき部材１２を介して閉じられている扉体１４，１５が閉状態に保持されて、かんぬき部材１２がプロテクタ本体１１に装着される。
【００５９】
かんぬき部材１２がプロテクタ本体１１に装着されてから、ワイヤハーネスＷを、その軸方向に前後させたり、横方向に移動させたりして、ワイヤハーネスＷの弛みや余長を無くした後に、結束バンド１３の突起３３がプロテクタ本体１１のワイヤハーネス位置決め孔２３に挿入されることで、ワイヤハーネスＷがプロテクタ本体１１の所定位置に位置決めされる。
【００６０】
このとき、レバー３０は、ワイヤハーネスＷを保持していてプロテクタ本体１１とかんぬき部材１３との組体５０の先端部から突出して外部に露出している。
【００６１】
図７に示すように、組体５０は、構造物Ｂ側に配置されているレール部材６１に組み付けられる。レール部材６１は、組体５０と同様の長さ寸法を有して、係合レール２８を抜け止めして支持するための逆Ｔ字形状のレール溝６２と、レール溝６２の両側部に形成されていてかんぬき部材１２の構造物Ｂ側の支持板２６を載置するための溝部６３と、係合レール２８に突出形成されている凸部３２を嵌め込むための凹部６４と、を有する。
【００６２】
図８に示すように、組体５０は、かんぬき部材１２の係合レール２８が、レール部材６１の側部からレール溝６２に挿入されることで、係合レール２８の下面の凸部３２がレール溝６２の凹部６４に係合される。
【００６３】
同時的に、かんぬき部材１２の他方の支持板２６の当接板３１がレール部材６１の端面６５に当接するために、組体５０は、レール部材６１に位置決めされて、構造物Ｂ上で移動不能にして構造物Ｂと反対側に抜け止めされて構造物Ｂ側に固定される。
【００６４】
このとき、組体５０は、プロテクタ本体１１が角筒形状をなすために、踏みつけ等の外力に耐える剛性および強度を有して、万が一に、踏みつけられたとしても、ワイヤハーネスＷに損傷を与えないようにする。
【００６５】
図９に示すように、ワイヤハーネスＷが配索されている構造物Ｂを廃棄する必要が生じた際に、まず、レバー３０が、構造物Ｂとは反対側に引き上げられる。すると、かんぬき部材１２の一方の支持板２５における係止突起２９が、一方の扉体１４の係止穴２４から係止解除される。そして、引き続きレバー３０を構造物Ｂに沿って引っ張ることにより、係合レール２８の凸部３２がレール溝６２の凹部６４から外れる。
【００６６】
このとき、レバー３０が一体に成形されているかんぬき部材１２は例えば黄色に着色されており、これとは異なり、プロテクタ本体１１が例えば灰色に着色されていることで、黄色に着色されているかんぬき部材１２が、専用の治具を用いずに解体作業を行えることを解体作業者に表示することができる。すなわち、例えば「黄色に着色された部材は、専用の治具を用いずに解体作業を行える」と予め設定しておくことにより、作業者は解体に際して専用の治具が必用か否かを容易に認識することができる。
【００６７】
図１０に示すように、レバー３０の操作によりかんぬき部材１２が構造物Ｂに沿って引かれることで、係合レール２８がレール部材６１のレール溝６２に支持されながら、かんぬき部材１２が構造物Ｂに沿って引き出される。これにより、かんぬき部材１２が両扉体１４，１５から外れて両扉体１４、１５の開放を許容する。
【００６８】
次に、ワイヤハーネスＷが構造物Ｂと反対側に向けて引き上げられる。すると、結束バンド１３の突部３３がワイヤハーネス位置決め孔２３に挿入されているプロテクタ本体１１が、ワイヤハーネスＷといっしょに引き上げられる。
【００６９】
これにより、銅線等を含むワイヤハーネスＷと、樹脂製のプロテクタ本体１１とが、金属製の構造物Ｂから分離されて分別がなされる。
【００７０】
このように、ワイヤハーネスプロテクタ１０は、ワイヤハーネスＷが配索されている構造物Ｂを廃棄する際の分別作業において、レバー３０を構造物Ｂに沿って引く動作と、ワイヤハーネスＷを構造物Ｂと反対側に引き上げる動作とにより、構造物Ｂから、ワイヤハーネスＷとプロテクタ本体１１とをいっしょに分離することができる。
【００７１】
このとき、解体作業者は、ワイヤハーネスを引き出すための専用の治具や、クリップおよびテープ巻きを切断するためのカッター等を用いずに、ワイヤハーネスＷを引き上げるだけの単純作業を行うこととなる。
【００７２】
以上説明したように、ワイヤハーネスプロテクタ１０によれば、プロテクタ本体１１が角筒形状であることで、踏みつけ等の外力に耐える剛性および強度を得ることができる。
【００７３】
そして、構造物Ｂ上に配索されているワイヤハーネスＷを構造物から取り外す際に、レバー３０を引く動作と、ワイヤハーネスＷを構造物Ｂと反対側に引き上げる動作とにより、ワイヤハーネスＷをプロテクタ本体１１とともに引き上げて、ワイヤハーネスＷを構造物Ｂから取り外すことができる。
【００７４】
即ち、ワイヤハーネスＷを構造物Ｂから取り外す際に、ワイヤハーネスＷを引き出すための専用の治具や、クリップおよびテープ巻きを切断するためのカッター等を必要とせずに、極めて簡単にワイヤハーネスＷを構造物Ｂから取り外すことができる。
【００７５】
従って、剛性面および強度面を強化することができるとともに、ワイヤハーネスＷが配索されている構造物Ｂを廃棄する際における、ワイヤハーネスＷの分別回収のための解体作業を容易に且つ効率化することができ、廃棄物中の資源のリサイクル化等の環境対応に適したワイヤハーネスＷの分離・分別回収を容易にすることができる。
【００７６】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００７７】
例えば、レバーの形状は、図示したＣ字形状に代えて、Ｔ字形状等、引く動作のし易い形状を適宜選択設定することができる。
【００７８】
また、扉体に形成される係止穴を半球形状の凹部とし、かんぬき部材の一方の支持板に形成される係止突起を同じく半球形状の凸部としても良い。
【００７９】
さらに、例えば、かんぬき部材が再生不能な樹脂材料を用いていて、これに反して、プロテクタ本体が再生可能な樹脂材料を用いている場合、それぞれの着色が異なることで、廃棄する部品と、再生する部品とを、目視で確認することができるので、解体作業の分別工程における作業性をさらに向上させることができる。
【図面の簡単な説明】
【００８０】
【図１】本発明に係るワイヤハーネスプロテクタの一実施形態に適用される扉体が閉じられているプロテクタ本体の前方斜め上方から視た外観斜視図である。
【図２】図１に示した扉体が開いているプロテクタ本体の前方斜め上方から視た外観斜視図である。
【図３】本発明に係るワイヤハーネスプロテクタの一実施形態に適用されるかんぬき部材の前方斜め上方から視た外観斜視図である。
【図４】本発明に係るワイヤハーネスプロテクタの組立を説明する各部材の前方斜め上方から視た分解斜視図である。
【図５】図４に示したワイヤハーネスプロテクタの組立後の前方斜め上方から視た外観斜視図である。
【図６】図５に示したワイヤハーネスプロテクタにおけるかんぬき部材と扉体との係止状態を説明する５縦断面図である。
【図７】図５に示したワイヤハーネスプロテクタの構造物への組付け前の前方斜め上方から視た外観斜視図である。
【図８】図６に示したワイヤハーネスプロテクタの構造物への組付け後の前方斜め上方から視た外観斜視図である。
【図９】図５に示したワイヤハーネスプロテクタにおけるかんぬき部材と扉体との係止解除状態を説明する縦断面図である。
【図１０】図８に示したワイヤハーネスプロテクタの構造物からの離脱動作を説明する前方斜め上方から視た外観斜視図である。
【図１１】従来のワイヤハーネスプロテクタの概略図である。
【図１２】図１１とは異なる従来のワイヤハーネスプロテクタの断面図である。
【図１３】図１２に示したワイヤハーネスプロテクタからワイヤハーネスを取り外す際の概略図である。
【符号の説明】
【００８１】
１０    ワイヤハーネスプロテクタ
１１    プロテクタ本体
１２    かんぬき部材
１３    結束バンド
１４    扉体
１５    扉体
１６    ワイヤハーネス収容部
２３    ワイヤハーネス位置決め孔
２４    係止穴（ロック機構）
２８    係合レール
２９    係止突起（ロック機構）
３０    レバー（ロック機構）
３３    突起
３５    扉体保持部
６０    取付部材
６２    レール溝
Ｂ    構造物
Ｗ    ワイヤハーネス
【図１】
2009225626.tif 000003
【図２】
2009225626.tif 000004
【図３】
2009225626.tif 000005
【図４】
2009225626.tif 000006
【図５】
2009225626.tif 000007
【図６】
2009225626.tif 000008
【図７】
2009225626.tif 000009
【図８】
2009225626.tif 000010
【図９】
2009225626.tif 000011
【図１０】
2009225626.tif 000012
【図１１】
2009225626.tif 000013
【図１２】
2009225626.tif 000014
【図１３】
2009225626.tif 000015